Podtech/llm-jp-corpus-v4-ja_patent huggingface dataset:
(57)【要約】【課題】布団乾燥機等で少量の温風で保温でき取り扱いや操作が簡単にできる温風ガイドカバーを提供すること。【解決手段】通気性の少ない表生地１を好みに合せた数箇所を所定の大きさにカットし排出口４を設け、送風口６を縦方向または横方向に取り付けて通気性の少ない裏生地２と外周を縫い合わせ外周の数箇所にホック３又は、紐等を取り付けてそれをふとん９に取り付けて使用し、布団乾燥機等で少量の温風で保温しそのままふとんカバー８に入れたまま使用することができる。【選択図】  図１
2007209691.tif 000002
【特許請求の範囲】
【請求項１】
通気性の少ない表生地を好みに合せた数箇所を所定の大きさにカットし排出口を設け、送風口を縦方向または横方向に取り付けて通気性の少ない裏生地と外周を縫い合わせ外周の数箇所にホック又は、紐等を取り付け、送風口より少量の温風で保温することを特徴とする温風ガイドカバー。
【請求項２】
通気性の少ない表生地を好みに合せた数箇所を所定の大きさにカットし排出口を設け、送風口を縦方向または横方向に取り付けて通気性の少ない裏生地と外周を縫い合わせて、縦方向又は、横方向に複数本の送風路を設け外周の数箇所にホック又は、紐等を取り付け、送風口より少量の温風で保温することを特徴とする温風ガイドカバー。
【発明の詳細な説明】
【技術分野】
【０００１】
本発明は、使用中のふとんに温風ガイドカバーをホック又は、紐等で取り付けカバーをかぶせた状態で使用し就寝前に布団乾燥機等で送風口より少量の温風で短時間に暖め保温する構造を備えた温風ガイドカバーに関するものである。
【背景技術】
【０００２】
従来は布団を温める時、布団乾燥機で袋状の物を掛布団と敷布団の間に入れて使用していた。
【０００３】
また、通気性を有する通風布で送風路を形成し、ふとんに直接温冷風を送風しセンサーでコントロールするので、音も気になり電気代もかかった（例えば、特許文献１参照）。
【特許文献１】特許第２６３０７３３号公報
【発明の開示】
【発明が解決しようとする課題】
【０００４】
従来公知の布団乾燥機は取り付け、取り外しが面倒で大変であった。
【０００５】
エアーコントロールふとんでは、広範囲に風を送り込むことで大きな風力が必要で睡眠中、音も気になり価格も高価なものであった。
【０００６】
本発明は、このような従来の問題を解決しようとするものであり、取り付けや取り外しが簡単で就寝前３０分から６０分以内で暖かく保温性を持たせたふとんを提供することを目的とするものである。
【課題を解決するための手段】
【０００７】
上記目的を達成するため、請求項１の発明は、通気性の少ない表生地を好みに合せた数箇所を所定の大きさにカットし排出口を設け、送風口を縦方向または横方向に取り付けて、通気性の少ない裏生地と外周を縫い合わせ外周の数箇所にホック又は、紐等を取り付けた温風ガイドカバーに於いて、使用中のふとんにホック又は、紐等を取り付けて通常のカバーを掛けて使用するものである。
【０００８】
請求項２の発明は、通気性の少ない表生地を好みに合せた数箇所を所定の大きさにカットし排出口を設け、送風口を縦方向または横方向に取り付けて、通気性の少ない裏生地と外周を縫い合わせて縦方向または、横方向に複数本の送風路を設け外周の数箇所にホック又は、紐等を取り付け、複数の送風路により重点箇所を暖めることができる。
【０００９】
上記請求項１の課題解決手段による作用は、好みに合せた数箇所を所定の大きさの排出口を設け、送風口に布団乾燥機等の取り付け取り外しが簡単にでき、温風ガイドカバーをふとんに取り付けたままで使用することができる
【００１０】
また、請求項２課題解決手段による作用は、縦方向または、横方向の複数本の送風路により重点箇所を短時間で暖め保温でき送風口に布団乾燥機等の取り付け取り外しが簡単にでき、温風ガイドカバーをふとんに取り付けたままで使用することができる。
【発明の効果】
【００１１】
上述したように本発明の温風ガイドカバーは、ふとんに取り付けたままで使用でき、短時間で小量の温風でふとんを暖め保温することができ布団乾燥機等の取り付け取り外しが簡単にできる。
【００１２】
また、送風路を複数設けることで衿元、お腹、足元と、特に冷える部分に排出口を重点的に設け、小量の温風で短時間に暖め保温性をもたせる温風ガイドカバーを提供できる。
【発明を実施するための最良の形態】
【００１３】
以下、本発明の実施の形態を図１〜図２に基づいて説明する。
【実施例１】
【００１４】
図１は、通気性の少ない表生地１を好みに合せた数箇所を所定の大きさにカットし排出口４を設け、送風口６を縦方向または横方向に取り付けて通気性の少ない裏生地２と外周を縫い合わせ外周の数箇所にホック３又は、紐等を取り付けたものである。
【００１５】
図２は、通気性の少ない表生地１を好みに合せた数箇所を所定の大きさにカットし排出口４を設け、送風口６を縦方向または横方向に取り付けて通気性の少ない裏生地２と外周を縫い合わせて、縦方向または、横方向に複数本の送風路５を作ることで排出口４を好みに合った場所に重点的に設け外周の数箇所にホック３又は、紐等を取り付けたものである
【００１６】
図３は、ふとんにふとんカバーを付け温風ガイドカバー使用した状態の断面図である。
【産業上の利用可能性】
【００１７】
ふとんに取り付けて通常のカバーに入れ、布団乾燥機等で少量の温風で暖め保温し、通常のカバーに入たままで使用でき、また取り付け取り外しが簡単にできる。
【図面の簡単な説明】
【００１８】
【図１】温風ガイドカバーの平面図である。
【図２】温風ガイドカバーの複数通風路の平面図である。
【図３】温風ガイドカバーをふとん、ふとんカバーとで使用した状態に断面図である。
【符号の説明】
【００１９】
１      表生地
２      裏生地
３      ホック
４      排出口
５      送風路
６      送風口
７      送風路縫製
８      カバー
９      ふとん
【図１】
2007209691.tif 000003
【図２】
2007209691.tif 000004
【図３】
2007209691.tif 000005
(57)【要約】【課題】  この発明は、店員の手助けに頼ることなく、遊戯者自身がボーナスゲームの目押しが簡単に行える遊戯用スロットマシンのリールにおける柄の表示改良方法を開発・提供することにある。【解決手段】  スロットマシン（１）において、該マシン（１）の図柄表示窓（２）より視認できる回転リール（３）の両側部（３ａ）（３ｂ）と、各回転リール（３）との間部（４ａ）（４ｂ）を、それぞれ白色に着色し、また、大当たり目にあたる数字、記号、文字又は絵柄（５）を小さく形成し、該絵柄（５）を取り囲む残余の矩形空間（６）を、全体的に着色して塗り潰すことを特徴とするスロットマシンのドラムにおける柄の表示改良方法から構成される。【選択図】          図１
2007209429.tif 000002
【特許請求の範囲】
【請求項１】
スロットマシン（１）において、該マシンの図柄表示窓（２）より視認できる回転リール（３）の両側部（３ａ）（３ｂ）と、各回転リール（３）との間部（４ａ）（４ｂ）を、それぞれ白色に着色し、また、大当たり目にあたる数字、記号、文字又は絵柄（５）を小さく形成し、該絵柄（５）を取り囲む残余の矩形空間（６）を、全体的に着色して塗り潰すことを特徴とするスロットマシンのドラムにおける柄の表示改良方法。
【発明の詳細な説明】
【技術分野】
【０００１】
この発明は、遊戯用スロットマシンのリールにおける柄の表示改良方法に関するものである。
【背景技術】
【０００２】
従来、遊戯用スロットマシンには、「パチスロ」と称する遊戯具であり、このパチスロ機はリール制御により揃う役がレバーを叩いた段階ですでに決定している。
【０００３】
そして、役によっては内部で決定していても闇雲に押すだけでは取りこぼしてしまう。  それを防ぐために「目押し」が重要となってくる。そして、「目押し」とは、回転するリールの特定の絵柄を有効ラインに狙い撃ちすることである。
【０００４】
普通、目押しのコツは、絵柄配列を覚えておいて、回転するリールのつなぎ目を基準にタイミングを計ってストップボタンを押すものである。
【０００５】
ところで、パチスロ機の演出の効果を高めるために、補助的な演出を実行している。そして、演出を実行するための遊戯条件としては、遊戯者に特別の特典をもたらすゲーム制御、例えば、ボーナスゲームのような当選状態などである。
【０００６】
ボーナスゲームとは、パチスロ機のゲーム状態の一種であり、通常ゲームとこのボーナスゲームに分けられる。店側が設定した打ち止め枚数まで次回のボーナスゲームが高率で当たるよう構成されている。
【０００７】
目押しを手助けするために、リール回転時にボーナス絵柄箇所を点灯させる等を行っている機種も存在するが、直接に機体が目押しを手助けすることは禁じられている。
そのため、ボーナスゲームが点灯する度に、遊戯場の店員（以下、単に、店員という）を呼んで目押しをしてもらっている。
【０００８】
しかし、店員が来るまでに、待っていることも退屈であり、また、店員も場内のあちらこちらで目押しをするようになり、極めて煩雑となるため、遊戯者が、簡単に目押しできる絵柄を開発・提供することが必要となってくる。
【０００９】
遊戯用の演出方法については、例えば、特許文献１がある。
【特許文献１】特開２００５−３４８９４８号
【発明の開示】
【発明が解決しようとする課題】
【００１０】
そこで、この発明は、店員の手助けに頼ることなく、遊戯者自身がボーナスゲームの目押しが簡単に行える遊戯用スロットマシンのリールにおける柄の表示改良方法を開発・提供することにある。
【課題を解決するための手段】
【００１１】
そのため、この発明は、遊戯用スロットマシンのリールにおける柄の表示を改良することにあり、当たり目のある絵柄は小さく、また、絵柄には、着色した矩形空間を設け、該絵柄と矩形空間枠との間に例えば、赤色、黒色等に着色して塗り潰すことにより、遊戯者自身が店員を待つことなく容易に押すことができるようにものである。
【発明の効果】
【００１２】
この発明によると、スロットマシン（１）において、該マシン（１）の図柄表示窓（２）より視認できる回転リール（３）の両側部（３ａ）（３ｂ）と、各回転リール（３）との間部（４ａ）（４ｂ）を、それぞれ白色に着色することにより、絵柄や数字等がより鮮明に見えるという効果を奏する。
【００１３】
さらに、当たり目のある絵柄は小さく形成されているが、該絵柄に、着色した矩形空間を設け、該絵柄と矩形空間枠との間に例えば、赤色、黒色等に着色して塗り潰すことにより、当たり目のある絵柄が揃え易くなるという効果を奏するものである。
【発明を実施するための最良の形態】
【００１４】
次に、この発明の一実施例を詳述すると、スロットマシン（１）において、該マシン（１）の図柄表示窓（２）より視認できる回転リール（３）の両側部（３ａ）（３ｂ）と、各回転リール（３）との間部（４ａ）（４ｂ）を、それぞれ白色に着色し、また、大当たり目にあたる数字、記号、文字又は絵柄（５）を小さく形成し、該絵柄（５）を取り囲む残余の矩形空間（６）を、全体的に着色して塗り潰すことを特徴とするスロットマシンのドラムにおける柄の表示改良方法から構成される。
【００１５】
尚、絵柄（５）を取り囲む残余の矩形空間（６）に、全体的に着色して塗り潰す色は、例えば、赤色とか黒色とか種々の色であり、特に、限定はしない。
【産業上の利用可能性】
【００１６】
この発明による、遊戯用スロットマシンのリールにおける柄の表示改良方法の技術を開発、実施することにより産業上の利用可能性がある。
【図面の簡単な説明】
【００１７】
【図１】この発明の一実施例を示す一部欠截正面図である。
【図２】この発明の一実施例を示す斜視図である。
【符号の説明】
【００１８】
１  スロットマシン
２  図柄表示窓
３  回転リール
３ａ，３ｂ  回転リールの両側部
４ａ，４ｂ  回転リールの間部
５  大当たり目にあたる数字、記号、文字又は絵柄
６  矩形空間
【図１】
2007209429.tif 000003
【図２】
2007209429.tif 000004
(57)【要約】【課題】通俗的な葬祭具でなく、因り意義深く、誠に葬送の儀を因り荘厳に感じさせ、故人を想わせる葬祭品を提供する。【解決手段】含木粉塗料、含金属粉塗料、含貝粉塗料、含石粉塗料で、棺、骨覆箱、中覆祭壇を処理し、又、蒔絵等も施し、商品としての品位を高め葬送の意義深さを高め、使用者の要求に答え、より故人を偲ぶ事が出来る。【選択図】図１
2007209584.tif 000002
【特許請求の範囲】
【請求項１】
含木粉塗料による、表面処理。
【請求項２】
含金属粉塗料による、表面処理。
【請求項３】
含貝殻粉塗料による、表面処理。
【請求項４】
含石粉塗料による、表面処理。
【請求項５】
請求項１から４の表面に蒔絵処理。
【請求項６】
項請求項１から５による、棺。
【請求項７】
請求項１から５による、骨覆箱
【請求項８】
請求項１から５による、中陰祭壇
【発明の詳細な説明】
【技術分野】
【０００１】
葬祭に際し、現状に於いては、棺、骨覆箱、中陰祭壇が画一化され、使用者の希望する形状、品質、予算に見合った物がなく、その不満は募るばかりである。
【背景技術】
【０００２】
従来においては、市場に於いては、業界の怠慢から、因習に満ち、惰性的で時代性に乏しく、又、選択性も乏しい製品が市場を覆い、葬送者が、故人を思う気持ちに即した物が無く、その不満、不評は充満している。
【０００３】
上記の改善策として、棺、骨覆箱、中陰祭壇に請求項１から５の何れかの処理を施し、上記不満に対応する。
又、上記、棺、骨覆箱、中陰祭壇に、彫刻、付彫り、透彫り、浮き彫り等の加工物を施し、そこに、請求項１から５の何れかの処理を行い、より製品の嗜好を高め、使用者の選択肢を拡げ、時代の求める種別化、又、個々使用者に対応した製品を、提供し、現状の不満、不評を解消する。
【特許文献１】実用新案第３０８０２２６号
【特許文献２】実用新案第３０７９４２２号
【発明の開示】
【発明が解決しようとする課題】
【０００４】
従来の棺、骨覆箱、中陰祭壇に於いての、その形態、価格、品質に於いては、怠慢で形骸化したものが市場を支配して、使用者からの不満、不評が多く、この問題点を解消しようとするものである。
【課題を解決するための手段】
【０００５】
本発明は、棺、骨覆箱、中陰祭壇に於いて、請求項１のから５の塗装処理を施し、通俗的技法では表現で出来なった、雰囲気、品位、風格を表現で出来る事から、使用者の選択しが広く、使用者の要望に即した、市場性の高い製品を提供する事が出来る事を特徴とする。
【発明の効果】
【０００６】
本発明の請求項６から８は、請求項１から５の塗装技法を施す事により、従来の葬祭用具に比べ、遥かに重厚で品位が高く、且つ、いままで見られなかった清涼感も表現できる事から、従来の通俗的な物に比べてその存在性は飛躍的に向上し、市場並びに、使用者の不満不評を解消でき、画期的で、斬新で個性豊かな製品を提供できる利点がある。
【発明を実施するための最良の形態】
【０００７】
発明の請求項１から５の塗装技法は、通常の塗装技法からでは得る事の出来ない表現が可能である事から、高品位で嗜好性豊かな物が製品化出来る。
この発明の請求項６から８は、その存在感、重厚さ、清涼感から、使用者の満足感、より高い功徳の念を生じる事が出来る製品を提供できる。
【実施例１】
【０００８】
図１は、本発明の棺に於いての、立体図である。
【実施例２】
【０００９】
図２は、本発明の骨覆箱に於いての、立面図である。
【実施例３】
【００１０】
図３は、中陰祭壇に於いての、正面図である。
【産業上の利用可能性】
【００１１】
本発明により、従来、閉鎖的且つ、惰性的で、葬儀社サイドであった、葬祭用品に、芸術性と、使用者の嗜好に充分に堪える物が製作でき、因り、葬送の意義を高める製品を提供し、その市場性を活性化することが出来る。
【図面の簡単な説明】
【００１２】
【図１】含貝殻塗料等で処理を行った棺の立体図で、２の龍等を表現した彫刻に含金属塗料で処理した物を棺に貼り付けた所を示す。(実施例１)
【図２】含木粉塗料等で処理を行った骨覆箱の立体図で、４、５の浮き彫りに、蒔絵を施した物を取り付けた所を示す。(実施例２)
【図３】含石粉塗料等で処理を行った中陰祭壇の正面図で、６から９の、蝶等を表現した彫り物に請求項１から５の何れかを施した物を取り付けた所を示す。(実施例３)
【符号の説明】
【００１３】
１  棺  
２  彫り物
３  骨陰箱
４  彫り物
５  彫り物
６  中陰祭壇
７  彫り物
８  彫り物
【図１】
2007209584.tif 000003
【図２】
2007209584.tif 000004
【図３】
2007209584.tif 000005
(57)【要約】      （修正有）【課題】犬などの調教・訓練の折り、従来のリ−ドだと犬の自由度が大きくコントロ−ルが難しかった。また自転車での運動や散歩の時は犬が自転車に寄ってきて危険でもあった。本発明品は、このような課題を解決すために提供する。【解決手段】先端がそれぞれ凹４凸３になった複数の管２を用意しひも１を通す。ひもの上部には移動できるストッパ−機能を持つ握りを設けた。この「ストッパ−」を握り、ひもを引くと管の凹凸が連結され一本の棒として固定される。ストッパ−をゆるめると管の凹凸が離れ、通常のリ−ドとして使うことができる。【選択図】図１
2007209326.tif 000002
【特許請求の範囲】
【請求項１】
ひもを引くと一本の棒になり一定の距離が保てるペットのリ−ド。
【発明の詳細な説明】
【発明の詳細な説明】
【発明の属する技術的分野】
【０００１】先端が凹凸になった管にひも通してつなぎ、ストッパ−を付けた。ストッパ−を握り、ひもを引くと管の凹凸が連結され一本の棒になる。
【背景技術】
【０００２】従来は、このようなリ−ドはなかった。
【発明が解決しようとする課題】
【０００】犬などの調教・訓練の折り、従来のリ−ドだと犬の自由度が大きくコントロ−ルが難しかった。また自転車での運動・散歩の時は犬が自転車に寄ってきて危険であった。本発明品はこのような課題を解決するために考案された。
【課題を解決するための手段】
【０００５】先端が凹凸になった複数の管にひも通してつないだ。ひもの上部には移動できるストッパ−を付けた。ストッパ−握り、ひもを引くと管の凹凸が連結され一本の棒になる。またストッパ−をゆるめると管の凹凸が離れ通常のリ−ドとして使うことができる。
【発明を実施するための最良の形態】
【０００６】以下、本発明の実施の形態について説明する。
先端がそれぞれ凹凸になった複数の「管」を用意し「ひも」を通す。ひもの上部にはストッパ−機能を持つ「握り」を設けた。この「握り」を掴みひもを引くと管が押されて管の凹凸が連結され、一本の棒として固定される。棒状を解消するにはストッパ−をゆるめ、ひもに余裕をもたせると管の凹凸が離れ、ひも状となり通常のリ−ドとして使うことができる。
【発明の効果】
【０００７】犬などの調教・訓練の折り、従来のリ−ドだと犬の自由度が大きくコントロ−ルが難しかった。また自転車での運動や散歩の時は犬が自転車に寄ってきて危険であった。本発明品は、リ−ドが棒状になるため犬との距離が一定に保たれるだけでなく、動きを自在に制御することができる。
【図面の簡単な説明】
【図１】本発明品の部分図
【図２】詳細図
【図３】使用図
【符号の説明】
１ひも
２管
３凸部
４凹部
５握り（ストッパ−）
６ストッパ−摘み
【図１】
2007209326.tif 000003
【図２】
2007209326.tif 000004
【図３】
2007209326.tif 000005
(57)【要約】【課題】本発明は、円形台座の上面中心に反射板を有した青ランプを取り付け、その反射板から周囲へ広く円偏光照射して誘虫し、反射板と青ランプの周囲を巻装した捕虫粘着シートに虫が捕らえられるもので、円形台座の内部に電源となる乾電池を設け、捕虫粘着シートを覆うよう円筒カバーを被せ、電源の入り切りを円筒カバーの押圧で行える反射偏光捕虫器を得る。【解決手段】円形台座の内部に電源となる乾電池を設け、円形台座の上面中心に反射板を付設して青ランプを螺着し、その反射板と青ランプの周囲を捕虫粘着シートを巻装し、青ランプの光線を反射板が捕虫粘着シートに円偏光照射するようにして円筒カバーを被せ、円筒カバーの上縁を押圧によって電源の入切ができる。【選択図】図２
2007209323.tif 000002
【特許請求の範囲】
【請求項１】
円形台座の内部に電源となる乾電池を設け、円形台座の上面中心に反射板を付設して青ランプを螺着し、その反射板と青ランプの周囲を捕虫粘着シートを巻装し、青ランプの光線を反射板が捕虫粘着シートに円偏光照射するようにして円筒カバーを被せ、円筒カバーの上縁を押圧によって電源の入切ができることを特徴とする反射偏光捕虫器。
【請求項２】
円形台座の内部に交流電源装置を設けた請求項１記載の反射偏光捕虫器。
【請求項３】
円形台座の外周壁に電源スイッチを設けた請求項１、または請求項２記載の反射偏光捕虫器。
【発明の詳細な説明】
【技術分野】
【０００１】    この発明は、反射偏光捕虫器に関する。
【背景技術】
【０００２】
【特許文献１】    特願２００３−６８２３５  特開２００４−２７５０３５
【特許文献２】    特願２００３−１３２６７５  特開２００４−３２９１６０
【特許文献３】    特願２００４−６０５３０  特開２００５−２４５３１２
【特許文献４】    特願２００４−１２２１１２  特開２００５−３０４３１２
【発明の開示】
【発明が解決しようとする課題】
【０００３】    従来の捕虫器では、粘着シートを内設したカートリッジ式のものや、蛍光灯を装着しケース内の背部にトレイを設け、そのトレイに粘着シートを設け、蛍光灯の光により誘虫して捕虫するもの等があるが、通常の蛍光灯の発光誘虫で粘着シートでの捕虫では、あまり捕虫効果が出ないものであり、コンパクトなものでなく設置場所や手軽に持ち運びもしにくい問題があった。【０００４】    本発明は円形台座の上面中心に反射板を有した青ランプを取り付け、その反射板から周囲へ広く円偏光照射して誘虫し、反射板と青ランプの周囲を巻装した捕虫粘着シートに虫が捕らえられるもので、円形台座の内部に電源となる乾電池を設け、捕虫粘着シートを覆うよう円筒カバーを被せ、電源の入り切りを円筒カバーの押圧で行える反射偏光捕虫器の提供を目的とするものである。
【課題を解決するための手段】
【０００５】    前記の課題を達成するため、円形台座の内部に電源となる乾電池を設け、円形台座の上面中心に反射板を付設して青ランプを螺着し、その反射板と青ランプの周囲を捕虫粘着シートを巻装し、青ランプの光線を反射板が捕虫粘着シートに円偏光照射するようにして円筒カバーを被せ、円筒カバーの上縁を押圧によって電源の入切ができる手段を講ずる。【０００６】    また、円形台座の内部に交流電源装置を設けてもよい。【０００７】    そして、円形台座の外周壁に電源スイッチを設けてもよい。
【発明の効果】
【０００８】    本発明の反射偏光捕虫器では、青色ランプを用いて光線誘虫効果を高めるため、青色ランプの光線を反射板で円偏光照射できるようにし、通常の発光より誘虫し易い状態をつくりだし、光に誘われた虫が巻装した捕虫粘着シートに捕らえられるようになり、人体に安全無害なクリーンな捕虫器として有用なものであるとともに、乾電池電源で小型軽量の形状となるので、どこにでも持ち運びでき使用できるものである。
【発明を実施するための最良の形態】
【０００９】    発明の実施の形態を実施例にもとづき図面を参照して説明する。
図１〜図２で示す実施例では、円形台座１の内部に電源となる乾電池２を設け、円形台座１の上面中心に反射板３を付設して青ランプ４を螺着し、その反射板３と青ランプ４の周囲を捕虫粘着シート５を巻装し、青ランプ４の光線を反射板３が捕虫粘着シート５に円偏光照射するようにして円筒カバー６を被せ、円筒カバー６の上縁７を押圧によって電源の入切ができるようにしている。【００１０】    また、図３で示す実施例では、円形台座１の内部に交流電源装置８を設けるようにしている。【００１１】    そして、図３で示す実施例では、円形台座１の外周壁９に電源スイッチ１０を設けるようにしている。
【図面の簡単な説明】
【００１２】
【図１】    本発明の実施例を示す斜視図である。
【図２】    本発明の実施例の要部を示す側面からの断面図である。
【図３】    本発明の交流電源装置及び外周壁に電源スイッチ１を設けた実施例を示す斜視図である。
【符号の説明】
【００１３】    １  円形台座
２  乾電池
３  反射板
４  青ランプ
５  捕虫粘着シート
６  円筒カバー
７  上縁
８  交流電源装置
９  外周壁
１０  電源スイッチ
【図１】
2007209323.tif 000003
【図２】
2007209323.tif 000004
【図３】
2007209323.tif 000005
(57)【要約】      （修正有）【課題】無干出でのＰＨ処理後の死滅したケイ藻が壁塗り状態となり海苔種網の新芽の育成の妨げとなるのを防止し、無干出での海苔種網の育成を可能とする無干出での海苔種網の新芽育成方法を提供する。【解決手段】洗浄ノズル３を種網洗浄機８に取りつけたものを油圧モーター１０によりクランク１１を回転させクランクロッド１２とアームにより支持メタル１３を軸にして種網洗浄機８を左右に振れるようにした。また、種網洗浄機８に取りつけた洗浄ノズル３からは給水ホース１４から吸い上げられた海水が高圧ポンプ５により圧送ホース６で送られ、勢いよく吹き出し、ガイドパイプによりすくい上げられた種網のケイ藻を隙間なく洗い落とせるようにした。【選択図】図２
2007209316.tif 000002
【特許請求の範囲】
【請求項１】
無干出での海苔種網の新芽育成方法において、まず最初に海苔の種網を従来使用しているベタ流しのセットに複数枚ずつはりつけます。
次にＰＨ処理船で海苔種網のＰＨ処理を行い新芽の育成の障害となる雑菌やケイ藻アオノリなどの雑藻の死滅をさせます。  しかし、ケイ藻などは死滅はしても海苔種網から除去することができず海苔種網の表面を壁塗り状態となり新芽を覆い発育の妨げや死滅の原因となり目的を果たすことができない。そこで、ＰＨ処理船またはその他の船の前方または後方にまた、海苔種網の上方または下方から洗浄できるように洗浄ノズルを多数を進行方向に横方向に配列設置し、これを同方向に横振りまたは、縦振りする構造とした。また、高圧ポンプにより送られた海水が洗浄ノズルから噴出し、その水圧で海苔種網の表面に壁塗り状態となつて死滅したケイ藻を船を前進させることでまんべんなく除去できるようにしたことを特徴としている。上記のような方法を繰り返し行うことで海苔種網の新芽を快適に成長させる環境を作りだし干出施設を必要としない無干出での海苔種網の新芽育成方法を可能とした。
【発明の詳細な説明】
【技術分野】
【０００１】この発明は無干出で海苔の新芽を育成するための方法と装置に関するもの。
【背景技術】
【０００２】従来の海苔種網の新芽を育成するためには竹竿を海底に差したり干出枠を利用するなどして海苔種網を水面より上にあげて干出を行い干すことでケイ藻などの雑藻や雑菌類を除去して海苔の新芽を育成していた。
【発明の開示】
【発明が解決しようとする課題】
【０００３】しかしながら、以上の技術によれば干出のための竹竿や干出枠の資材代や設置及び撤去のための大変な労力また、それらを保管するための広い土地の確保など大変なものだった。本発明は、海苔種網の新芽を育成するに当たり干出しないで育成することで干出のための竹竿や干出枠などの資材を必要としないで上記の資材代や労力を削減しまた保管するための土地も必要でなくすることを課題としている。
【課題を解決するための手段】
【０００４】以上の課題を解決するために、第一発明は。無干出で海苔種網に付いている海苔の新芽を育成するために海苔種網に付着するケイ藻などの雑藻や雑菌を除去するため既存のＰＨ処理船でＰＨ処理しますがケイ藻は死滅はしていても海苔網の糸から離れず壁塗り状態になつて海苔の新芽の発育の障害となり発育不良や死滅を引き起こします。
そこで、壁塗り状態のケイ藻を取り除くためにＰＨ処理船またはその他の船の前方または後方にまた、上方または下方に洗浄のためのノズルを船の進行方向に横に多数配列しノズルを同方向にまたは、縦方向に振り移動しながら海苔種網を隙間なく洗浄できるようにした。ポンプからノズルに海水を圧送しノズルから吹き出した海水の水圧で洗い落とす。
【発明の効果】
【０００５】第一発明により無干出で海苔種網の育成ができると言うことは干出のための資材やそれらを保管するための土地また、設置や撤去また育成のための労力を省くことができると共に小人数で大量の網を管理できるまた、時間に関係なく作業でき、干出できないような湿度の高い時でも作業をすることができる。また、干し加減などの経験や技術も必要としなくなる。干出に向かない丈夫な網をも使用できるので経済的です。干出枠を使わないので荒天の時に網へのリスクが少ない。
【発明を実施するための最良の形態】
【０００６】この発明の実施形態を、図１、図２、図３、に示す。
図３は洗浄ノズル３  を往復運動させるための解説略図であるが海苔種網洗浄機８  に洗浄ノズル３  を取り付け油圧モーター１０  の回転運動をクランク１１  とクランクロッド１２  により往復運動に変換しこれを横振りアーム１５  に伝えることで  海苔種網洗浄機８  は図３のようにに横振りし（船の進行方向に対し縦振り）しながら種網を洗浄していく。横振りの軸となる支持メタル１３  図２は海苔種網洗浄機と高圧ポンプの斜視略図で施設全体の配置がわかる。洗浄のための海水の流れは給水ホース１４  で吸い上げられ高圧ポンプ５  により海水圧送ホース６  を介し海苔種網洗浄機８  に送られて洗浄ノズル３  よりいよく吹き出される。図１は海苔種網洗浄機を設置し作業中のＰＨ処理船側面図で  ＰＨ処理船１  はガイドパイプ９  により前進することで海苔種網を船上にすくい上げ海苔種網洗浄機８  の噴水７  により洗浄される。また、運転席４  海面２
［実施形態の効果］【０００７】この実施形態によれば無干出での海苔種網の育成ではＰＨ処理船でＰＨ処理しても死滅したケイ藻などの雑藻が付着したままとなりこれが新芽の成長の妨げとなり無干出での海苔種網の育成はできなかったがこれらの付着物を完全に取り去ることができ無干出での海苔種網の育成が可能となった。  そのことで、従来の有干出での海苔種網の育成では竹竿や干出枠など大量の資材やこれらを設置または撤去の作業などに大変な労力や費用を必要としていたがこれらを必要としなくなった。また、海苔種網の干し加減などの経験も必要ないとともに少人数で大量の種網を育成することができる。
［他の実施形態］【０００８】本発明に使用する海苔種網洗浄機を利用すれば生産中の海苔網においてもケイ藻や雑菌の除去を行うことができる。海面上のから海面下にある海苔網に高圧の海水を吹きつけるようにこれを設置すれば水圧でケイ藻を除去し水中に発生するミクロの泡が破裂する時に起こる衝撃波により細菌を死滅させることができるとともに海苔の細胞を活性化でき成長をも促進できる。
【図面の簡単な説明】
【０００９】
【図１】海苔種網洗浄機を設置し作業中のＰＨ処理船側面図
【図２】海苔種網洗浄機と高圧ポンプの斜視略図
【図３】洗浄ノズルの往複運動させるための解説略図
【符号の説明】
【００１０】１．ＰＨ処理船  ２．海面  ３．洗浄ノズル  ４．運転席  ５．高圧ポンプ  ６．海水圧送ホース  ７．噴水  ８．海苔種網洗浄機本体  ９．ガイドパイプ  １０．油圧モーター  １１．クランク  １２．クランクロッド  １３．支持メタル  １４．給水ホース  １５．横振りアーム
【図１】
2007209316.tif 000003
【図２】
2007209316.tif 000004
【図３】
2007209316.tif 000005
(57)【要約】【課題】雨の日や日差しが強い日のペットの散歩は困難であった。雨の日は合羽を着せたり、日差しの強い日は散歩をやめたりしていたが、雨の日も夏の暑い日も快適にペット散歩が楽しめるよう本発明品を提供する。【発明の効果】差込口３を設けたプラスチック板５をペットに着せるベスト状のもの４に縫い込んだ。背中に突起した差込口３にコウモリ傘の差込み２を差し込んで使用する。固定するには前足に６のひもを結び、７のベルトで胴を締める。2007209314.tif 000002
【特許請求の範囲】
【請求項１】
犬、猫等ペットの背中に装着する傘
【発明の詳細な説明】
【発明の詳細な説明】
【発明の属する技術的分野】
【０００１】この発明は、差込口の付いたプラスチック板をペットに着せるベスト状のものに縫い込んだもので、背中に突起した差込口にコウモリ傘を差し込んで使用するものである。
【背景技術】
【０００２】従来は、このようなものはなかった。
【発明が解決しようとする課題】
【０００】雨の日や日差しが強い日のペットの散歩は困難であった。雨の日は合羽を着せたり、日差しの強い日は散歩をやめたりしていたが、本発明品はこのような課題を解決するために考案された。
【課題を解決するための手段】
【０００５】差込口を設けたプラスチック板をペットに着せるベスト状のものに縫い込んだ。
背中に突起した差込口にコウモリ傘を差し込んで使用する。
【発明を実施するための最良の形態】
【０００６】以下、本発明の実施の形態について説明する。
差込口を設けたプラスチック板をペットに着せるベスト状のものに縫い込んだ。
背中に突起した差込口にコウモリ傘を差し込んで使用する。
【発明の効果】
【０００７】雨の日や日差しが強い日のペットの散歩は困難であった。雨の日は合羽を着せたり、日差しの強い日は散歩をやめたりしていたが、本発明品を使えば雨の日も夏の暑い日も快適に散歩が楽しめる。
【図１】
2007209314.tif 000003
【図２】
2007209314.tif 000004
【手続補正書】
【提出日】平成18年7月18日(2006.7.18)
【手続補正３】
【補正対象書類名】明細書
【補正対象項目名】全文
【補正方法】変更
【補正の内容】
【発明の詳細な説明】
【技術分野】
【０００１】この発明は、差込口の付いたプラスチック板をペットに着せるベスト状のものに縫い込んだもので、背中に突起した差込口にコウモリ傘差し込んで使用するものである。
【背景技術】
【０００２】従来は、このようなものはなかった。
【発明の開示】
【発明が解決しようとする課題】
【０００３】雨の日や日差しが強い日のペットの散歩は困難であった。雨の日は合羽を着せたり、日差しの強い日は散歩をやめたりしていた。
【課題を解決するための手段】
【０００４】差込口を設けたプラスチック板をペットに着せるベスト状のものに縫い込み、背中に突起した差込口にコウモリ傘や日傘を装着できるようにした。
【発明の効果】
【０００５】本発明品を使えば、雨の日も日差の強い日もペットと散歩ができるようになった。
【発明を実施するための最良の形態】
【０００６】以下本発明の実施の形態について説明する。
イ差込口を設けたプラスチック板をペットに着せるベスト状のものに縫い込んだ。
ロ背中に突起した差込口にコウモリ傘または日傘を装着して使用する。
【実施例１】
【０００７】差込口を設けたプラスチック板をペットに着せるベスト状のものに縫い込む。付属のひも、ベルトでペットの体に固定する。背中に突起した差込口にコウモリ傘または日傘を装着して使用する。
【図面の簡単な説明】
【０００８】
【図１】本発明品の形態図である。
【図２】本発明品の使用図である。
【符号の説明】
【０００９】１コウモリ傘
２差込
３差込口（ねじ込みまたはストッパー付き差し込み）
４ベスト（布またはビニール）
５プラスチック板
６足を締めるひも
７胴を締めるベルト
(57)【要約】【課題】    自然に回帰させることの出来る用済の保冷剤を提供すること。【解決手段】  自然に回帰出来る植物性のデンプン粉より成る粉に水を吸収させてゲル状とし、予め該植物性のデンプン粉に自然に回帰出来る山葵又は炭素セラミック顆粒を混合して構成し課題を解決する。【選択図】図１
2007209319.tif 000002
【特許請求の範囲】
【請求項１】
植物性デンプンと山葵を磨り下ろした物と顆粒状の炭素セラミックの内すくなくとも２種類以上を混合し、該混合物に水分を吸着させてゲル状とし、該ゲル状物質を保水性のある袋に詰めて構成したことを特徴とする保冷剤。
【発明の詳細な説明】
【技術分野】
【０００１】  本発明は、生鮮食品の搬送や一時的保管時に用いる保冷剤に関するものであり、不用になった場合処分時において自然環境に悪影響を及ぼすことのない保冷剤に関するものである。
【背景技術】
【０００２】  従来の保冷剤はポリマー等の化学物質を水に溶解させたものを、化学物質のフイルム状の袋に入れ保冷剤とし、該保冷剤を冷凍して必要に応じて適宜使用していた。しかし用済みの場合処分するには、化学物質であるため産業廃棄物として処理する必要があった。しかしこの保冷剤は自然環境にとって好ましいものでなく、これを処理するには多くの労力と費用を要していた。
【発明の開示】
【発明が解決しようとする課題】
【０００３】  従来の保冷剤は前記したごとく使用後は産業廃棄物として処理しなければならず多くの費用と労力が掛っていた。そこで自然に回帰させることが出来る保水材及び保水材を包み込む袋材を共に自然に回帰する材料で構成し、保冷剤の産廃物としての処理費用と労力を低減することを課題とする。
【課題を解決するための手段】
【０００４】  この課題を解決するための請求項１の発明は、まず保冷剤の水を吸収し保水する材料に、植物性のデンプンを素材とする高分子結合により成る顆粒状の物質を用い、該顆粒状の物質を包む袋に紙を素材とする不織布を用いる。又顆粒状の物質の中には山葵の粉又は遠赤外線を発生させる炭素セラミックの粉を混合して入れ込む。山葵や遠赤外線を発生させる炭素セラミックは共に抗菌効果を有する。この組合せにより自然に回帰出来る保冷剤を提供することが出来る。又炭素セラミックは遠赤を発生させ多硬質で穴が多く、炭素セラミックの構造上抗菌と共に、消臭，脱臭効果も有するため、従来の単なる保冷の目的以外に消臭，脱臭効果を有することが出来る。植物性デンプンと山葵との混合物に水を吸着保水させ冷凍することによって食品，食料素材の保冷用として、又植物性デンプンと炭素セラミックの顆粒との混合物に水を吸着、保水させ冷凍することによって、腐敗の防止や悪臭の消臭，脱臭の効果を生む。
【発明の効果】
【０００５】  本発明の保冷剤は自然界の環境にとって無害な物質の組合せによって構成されているため、使用後は自然界に放出しても何ら環境を破壊することがないため、その処分には多くの労力と費用を必要とせず、効果は大なるものがある。
【発明を実施するための形態】
【０００６】  図１は植物性デンプンの粉状のもの又は顆粒状のものに山葵を磨りつぶしたものを加えて混合し、該混合物に多量の水を加えてゲル状とし水を通さない紙製の袋に入れて保冷剤とし、該保冷剤を冷凍したものである。１は紙製の袋であり、２は植物性のデンプンに水を吸収させたゲル状のもの、３は山葵である。この構成の保冷剤は植物性のゲル状デンプン２と水の中に含まれる細菌の増殖を山葵３によって抑制することが出来るため長時間保冷中の抗菌効果を発揮することが出来る。図２は他の実施形態であり、紙製袋４の中に植物性デンプン粉に水を吸収させたゲル状物５に炭素セラミック顆粒６を混合したことによって構成される保冷剤７である。該保冷剤７は炭素セラミック顆粒より発生する遠赤外線効果によって抗菌効果を発揮し、同時に不快な臭いの消臭，脱臭効果も有するものである。
【０００７】  以上の２種の冷凍剤はその素材が全て天然の人間にとって無害で、且自然環境にもやさしいもので自然に回帰させることが出来る。
【産業上の利用可能性】
【０００８】  本発明の保冷剤は使用後廃棄処分する場合、自然に回帰させることが出来、且量産的に安価に製造することが出来るため、産業上の利用可能性を有する。
【図面の簡単な説明】
【０００９】
【図１】  本発明の実施例を示す一部断面正面図である。
【図２】  本発明の他の実施例を示す一部断面正面図である。
【符号の説明】
【００１０】１．……袋
２．……植物性デンプンに水を吸収させたゲル状物
３．……山葵
４．……袋
５．……植物性デンプンに水を吸収させたゲル状物
６．……炭素セラミック顆粒
【図１】
2007209319.tif 000003
【図２】
2007209319.tif 000004
(57)【要約】【課題】      鉢植の植物に長期間水の給水を不要とする長期給水不要の植物栽培装置を提供すること。【解決手段】  自重の数百倍の水を含水することが出来る植物性デンプン粉と、該植物性デンプン粉に抗菌効果を有する炭素セラミックを混合したゲル状物質を主体とする土壌を構成する。【選択図】図１
2007209318.tif 000002
【特許請求の範囲】
【請求項１】
多量の保水機能を有する顆粒状又は粉体状の植物性デンプンと、顆粒状の遠赤外線を発生し抗菌性を有する炭素セラミックを混合した混合剤に水を含水させ、鑑賞用植物と共に容器に組み込んだ長期給水不要の植物栽培装置。
【発明の詳細な説明】
【技術分野】
【０００１】  本発明は、鑑賞用鉢植の植物栽培装置に関するものであり、長期間給水不要で且育成の良い植物栽培装置に関するものである。
【背景技術】
【背景技術】
【０００２】  従来の植木鉢等の植物栽培装置は植物の種類にもよるが、毎日又は２〜３日に一度は給水を実施する必要があった。
【発明の開示】
【発明が解決しようとする課題】
【０００３】  しかし多くの植木鉢を有する商売上のスペースの管理や又家庭における鑑賞用として育成している場合、給水に対する時間と労力、又家庭においては例えば長期に渡り旅行等に出掛ける場合、給水する上で諸問題が発生した。即ち業務用の鑑賞用に多くの鉢植えを有している場合、給水においては多くの時間と労力又それに伴う経費が掛り、一方家庭において栽培している場合は、１週間〜１０日の長期に渡り旅行等で家を明ける場合、給水をどうするか問題であった。本発明はこれらの給水に関しての問題を解決するために発明したものであり、１週間〜１０日以上に渡り給水しなくても栽培している植木鉢等の植物が元気で育成出来る装置を提供しようとするものである。
【課題を解決するための手段】
【０００４】  上記の課題を解決する為の手段として、本発明においては自重の数百倍の水を保水することが出来る植物性のデンプンを用いて、該デンプンを粉状にしたものに遠赤外線を発生し、且マイナスイオンを発生する抗菌効果を有する炭素セラミックを顆粒状にしたものを、前記植物性のデンプンと共に混ぜ合せ、この混合物に水を給水させたものと、炭素セラミックと適宜の育成用の土を用いて、これらをサンドイッチ状に重ね合せ組み合せて、鉢植植物の土壌を構成する。該土壌は植物性デンプンの保水力による長期の鉢体内での水分の保存と、遠赤外線を発生させる抗菌効果を有する炭素セラミックによって、鉢内の土壌や植物性デンプンに含水させた水分等の中に存在する細菌によって水が腐敗するのを防止し、長期間鉢に植えた植物に水分を供給することが出来る。
【発明の効果】
【０００５】  本発明の諸資材を用いた鉢植用の土壌を用いることによって長期に渡り鉢に植えた鑑賞植物は、土壌中の植物性デンプンが保水している水分を徐々に吸収して成育し、且炭素セラミックの遠赤外線の効果による抗菌効果によって、水分を有する土壌の腐敗を防止することが出来ることにより、１週間〜１０日以上鉢に植えた植物に水を供給する必要が無いため、業務用に多数鉢植を有する場所への水分の供給による労力，経費の削減が出来、又一方個人の家庭においては長期に渡り水を与える必要が無いため、長期の外出が可能となり、その効果は大きい。
【発明を実施するための形態】
【０００６】  図１は本発明の構成を示す一部断面説明図である。図中１は鉢等の容器、２は植物性のデンプン粉に炭素セラミック顆粒とを混合したものに水を含水させたゲル状の物質である。３及び４は炭素セラミックである。５は植込まれた花８の茎であり下部には土６の付着した根７が埋まっている。
【０００７】  上記の構成で各々の資材を組み合せて鉢植を構成することによって、初期の目的を達成することが出来る。即ち容器１内に植込まれた花８の根７は植物性デンプンと炭素セラミックに水を含水させたゲル状の物質２の中より水を徐々に吸収して成長し生き続ける。資材２は水分を多量に含むがゲル状物質のため水の吸収が緩慢に遂行されるために長期間に渡り給水が不要となる。一方資材２中には遠赤外線を発して抗菌効果を有する炭素セラミックが混合されているため、水や土中の細菌による水の腐敗を防止することが出来る。
【産業上の利用可能性】
【０００８】  本発明に係る長期給水不要の植物栽培装置は、植物性デンプンと炭素セラミックは共に量産化が可能であり、且両者共天然素材で構成されている故に不要になった場合自然に放置すれば自然に回帰することが出来るため、工業的に量産出来、又自然界へ無害にして回帰させることが可能な為産業上の利用可能性を有する。
【図面の簡単な説明】
【０００９】
【図１】  本発明の一部断面正面図である。
【符号の説明】
【００１０】１．‥‥‥容器
２．‥‥‥植物性デンプンと炭素セラミックの混合物に水を給水させたゲル状物質
３．‥‥‥炭素セラミック
４．‥‥‥炭素セラミック
５．‥‥‥茎
６．‥‥‥土
７．‥‥‥根
８．‥‥‥花
【図１】
2007209318.tif 000003
(57)【要約】【課題】各種の料理のかくし味として手軽に利用することができるとともに、玉葱本来の食感や甘味に加えて、調理時に玉葱の表面を被覆する薄力粉が溶け出して、料理にとろみをつけ加えることができ、しかも、玉葱の内部に浸透させたバターが溶け出して、味わいに深みをつけ加えることができ、料理の味を一段と向上させることができる調味食品を提供すること。【解決手段】本発明では、調味食品において、破砕した玉葱の内部にバターを浸透させるとともに、玉葱の表面を薄力粉で被覆することにした。この調味食品は、破砕した玉葱の内部に加熱溶融したバターを浸透させた後に、薄力粉を混入し、その後、乾燥させることにより製造することにした。【選択図】なし【特許請求の範囲】
【請求項１】
破砕した玉葱の内部にバターを浸透させるとともに、玉葱の表面を薄力粉で被覆したことを特徴とする調味食品。
【請求項２】
破砕した玉葱の内部に加熱溶融したバターを浸透させた後に、薄力粉を混入し、その後、乾燥させることを特徴とする調味食品の製造方法。
【請求項３】
前記乾燥中に撹拌破砕することを特徴とする請求項２に記載の調味食品の製造方法。
【請求項４】
前記乾燥後に粉砕することを特徴とする請求項２又は請求項３に記載の調味食品の製造方法。
【発明の詳細な説明】
【技術分野】
【０００１】
本発明は、調味食品に関するものであり、特に、玉葱を主原料とする調味食品及び調味食品の製造方法に関するものである。
【背景技術】
【０００２】
従来より、玉葱は、各種の料理の材料として広く利用されているばかりでなく、その食感や風味の良さから、各種の料理のかくし味（調味料）として多用されている（たとえば、特許文献１参照。）。
【特許文献１】特開２００１−１６１３１０号公報
【発明の開示】
【発明が解決しようとする課題】
【０００３】
ところが、玉葱をかくし味として利用する場合には、各種料理のほかに玉葱も調理する必要があり、手軽に料理のかくし味として利用することができなかった。
【０００４】
また、玉葱だけでは、各種料理に食感や甘味を添加することができても、とろみや味わいに欠け、各種料理のよさを存分に引き出すには至らないものであった。
【課題を解決するための手段】
【０００５】
そこで、請求項１に係る本発明では、調味食品において、破砕した玉葱の内部にバターを浸透させるとともに、玉葱の表面を薄力粉で被覆することにした。
【０００６】
また、請求項２に係る本発明では、調味食品の製造方法において、破砕した玉葱の内部に加熱溶融したバターを浸透させた後に、薄力粉を混入し、その後、乾燥させることにした。
【０００７】
また、請求項３に係る本発明では、前記請求項２に係る本発明において、前記乾燥中に撹拌破砕することにした。
【０００８】
また、請求項４に係る本発明では、前記請求項２又は請求項３に係る本発明において、前記乾燥後に粉砕することにした。
【発明の効果】
【０００９】
そして、本発明に係る調味食品では、破砕した玉葱の内部にバターを浸透させるとともに、玉葱の表面を薄力粉で被覆することにしているために、各種の料理のかくし味として手軽に利用することができる。
【００１０】
また、本発明に係る調味食品では、玉葱本来の食感や甘味に加えて、調理時に玉葱の表面を被覆する薄力粉が溶け出して、料理にとろみをつけ加えることができ、しかも、玉葱の内部に浸透させたバターが溶け出して、味わいに深みをつけ加えることができ、料理の味を一段と向上させることができる。
【発明を実施するための最良の形態】
【００１１】
本発明に係る調味食品は、破砕した玉葱の内部にバターを浸透させるとともに、玉葱の表面を薄力粉で被覆した粒状又は粉状のものである。
【００１２】
この調味食品は、玉葱の甘味や薄力粉のとろみやバターの味わいが相俟って各種の料理のよさを引き出すことができるものであり、餃子やお好み焼きやハンバーグやスープなどの和食、洋食、中華を問わずに幅広く料理のかくし味（調味料）として利用することができるものである。
【００１３】
この調味食品は、玉葱を主原料とし、バターや薄力粉を用いて、以下に説明するようにして製造することができる。
【００１４】
まず、椀型の容器を加熱し、この容器の中に油10cc程度を入れ、さらに、バター150g程度を入れて、バターを溶かす。
【００１５】
次に、加熱した状態のまま容器の中に破砕した玉葱1Kg程度を入れ、約５分程度の時間をかけて溶けたバターと玉葱とを撹拌混合して混ぜ合わせる。
【００１６】
これにより、溶けたバターが玉葱の繊維内部に入り込むことになり、玉葱の内部にバターを浸透させることができる。
【００１７】
次に、容器の中に薄力粉330g程度（玉葱の重量に対して約１／３程度）を入れ、約５分程度の時間をかけて玉葱と薄力粉とを撹拌混合して混ぜ合わせる。
【００１８】
これにより、加熱された玉葱から水分が蒸発するとともに、蒸発した水分で薄力粉を溶かし、玉葱の表面に付着する。
【００１９】
次に、浅底広板状の容器に上記調理後の玉葱を広げ、約100℃の温度で約２時間程度の時間をかけて玉葱の内部の水分を蒸発させて乾燥させる。
【００２０】
このときに、約15分間隔で、表面がきつね色に焼けたことを確認し、玉葱を破砕しながら撹拌する。
【００２１】
なお、乾燥は、玉葱の内部の水分を蒸発させることができればよく、連続して撹拌しながら強火で短時間で乾燥させてもよい。
【００２２】
以上のようにして、破砕した玉葱の内部にバターが浸透し、玉葱の表面が薄力粉で被覆された数ミリサイズの粒状の調味食品を製造することができる。
【００２３】
この調味食品は、玉葱と薄力粉とバターとの原料重量比が６：２：１程度が好ましいが、好みに応じてそれぞれの比率を異ならせてもよい。
【００２４】
この粒状の調味食品は、そのままでも各種の料理のかくし味として利用することができるが、さらに、粒状の調味食品を粉砕して粉状の調味食品とすることもできる。
【００２５】
このように、上記調味食品は、粒状又は粉状の調味食品であるために、この調味食品を幅広い分野の各種料理のかくし味として手軽に利用することができる。
【００２６】
また、上記調味食品は、破砕した玉葱の内部にバターを浸透させるとともに、玉葱の表面を薄力粉で被覆しているために、玉葱本来の食感や甘味に加えて、調理時に玉葱の表面を被覆する薄力粉が溶け出して、料理にとろみをつけ加えることができ、しかも、玉葱の内部に浸透させたバターが溶け出して、味わいに深みをつけ加えることができ、料理の味を一段と向上させることができる。
【００２７】
特に、玉葱の表面を薄力粉で被覆することで、玉葱の内部に浸透したバターが逃げ出さず、バターによる味付けができるようになっている。
【００２８】
そして、上記調味食品は、破砕した玉葱の内部に加熱溶融したバターを浸透させた後に、薄力粉を混入し、その後、乾燥させるだけで製造することができ、特別な調理設備を必要とすることなく容易に製造することができる。
【００２９】
特に、乾燥中に撹拌破砕することによって、玉葱の内部の水分を十分に蒸発させることができるとともに、玉葱同士の付着を防止することができ、調味食品として利用しやすいサイズに仕上ることができる。
【００３０】
また、乾燥後に粉砕することによって、粉末状の調味食品とすることができ、様々な料理のかくし味として幅広く利用することができる。